(57)【要約】【課題】簡単な構造で、消費電力を上げることなく内蓋の内面に付着した水滴を蒸発させて除去することのできる安価な電気炊飯器を提供する。【解決手段】調理物が入れられる内釜１７と、上面が開口されて内釜１７が着脱自在に収容される炊飯器本体１と、内釜１７の加熱手段６と、加熱手段６を制御する制御部１２と、炊飯器本体１の開口部を開閉する蓋体２０とを備え、蓋体２０を、下部が開口された上蓋２４、上蓋２４の下部開口部内に固定された中蓋４０、中蓋４０の下部に着脱可能に設けられた内蓋５０、及び上面に蓋ヒータ５７を有し中蓋４０と内蓋５０との間に上下動可能に配設された内蓋中間部材５５によって構成し、内蓋中間部材５５を付勢手段４５により内蓋５０に常時当接するように構成した。【選択図】図１
2009005954.tif 000002
【特許請求の範囲】
【請求項１】
調理物が入れられる内釜と、上面が開口されて前記内釜が着脱自在に収容される炊飯器本体と、前記内釜の加熱手段と、該加熱手段を制御する制御部と、前記炊飯器本体の開口部を開閉する蓋体とを備え、
前記蓋体を、下部が開口された上蓋、該上蓋の下部開口部内に固定された中蓋、該中蓋の下部に着脱可能に設けられた内蓋、及び上面に蓋ヒータを有し前記中蓋と内蓋との間に上下動可能に配設された内蓋中間部材によって構成し、前記内蓋中間部材を付勢手段により前記内蓋に常時当接するように構成したことを特徴とする電気炊飯器。
【請求項２】
前記内蓋中間部材を、該内蓋中間部材に設けた複数の係止片により前記中蓋に所定の範囲で上下動可能に取付けると共に、前記中蓋と内蓋中間部材との間に該内蓋中間部材を前記内蓋側に付勢する複数の付勢手段を設けたことを特徴とする請求項１記載の電気炊飯器。
【発明の詳細な説明】
【技術分野】
【０００１】
本発明は、電気炊飯器に係り、より詳しくは、蓋体の内蓋の内面に付着した水滴の除去手段を備えた電気炊飯器に関するものである。
【背景技術】
【０００２】
電気炊飯器においては、炊飯時や保温時などに発生した蒸気が蓋体の内蓋の内面に付着して水滴となり、また、保温時に外気温度が低い場合などには、蓋体が冷却されて内蓋の内面に多量の水滴が付着することがある。このような水滴は、蓋体の開放時にご飯の上に落下してビチャビチャになって不味くなったり、あるいは炊飯器の周囲に落下して掃除しなければならないことがある。
【０００３】
このような問題を解決するために、電気炊飯器の蓋ユニットの内側に設けられて内鍋の蓋部を構成する放熱板の上面に超音波振動子を設け、この放熱板を高周波振動させることにより、放熱板の内面に付着した液滴を飛散させるようにしたものがある（例えば、特許文献１参照）。
【０００４】
【特許文献１】特開平９−１２２０１２号公報（第２−４頁、図１−２）
【発明の開示】
【発明が解決しようとする課題】
【０００５】
特許文献１の電気炊飯器は、蓋ユニットの放熱板に超音波振動子による高価な高周波振動手段を設けており、また、蓋ユニットの内部は炊飯時の蒸気により高温になるため、耐熱対策のために余分な部品が必要になるのでさらに高価になり、多くの家庭等で使用される電気炊飯器を安価に提供できないという問題があった。
【０００６】
そこで、電気炊飯器の蓋体の中蓋と内蓋との間に、上面に蓋ヒータが設けられた内蓋中間部材を配設し、この内蓋中間部材を内蓋に当接して内蓋を間接的に加熱し、内蓋の下面に付着した水滴を蒸発させるような試みがなされている。
【０００７】
このような蓋体を備えた電気炊飯器は、特許文献１の電気炊飯器に比べてコストを低減できるが、炊飯時に内蓋に蒸気圧力が加わるため、内蓋と内蓋中間部材が圧力と熱によって変形し、密着性が低下して両者の間にすき間が生じるため、内蓋中間部材に設けた蓋ヒータの熱が内蓋に十分伝達されなくなり、内蓋の内面に付着した水滴を蒸発させることが困難であった。このような場合、蓋ヒータに供給される消費電力を上げることも考えられるが、こうすると保温時にご飯が黄変して硬くなり、不味くなってしまうという問題があり、好ましくなかった。
【０００８】
本発明は上記の課題を解決するためになされたもので、簡単な構造で、消費電力を上げることなく内蓋の内面に付着した水滴を蒸発させて除去することのできる安価な電気炊飯器を提供することを目的としたものである。
【課題を解決するための手段】
【０００９】
本発明に係る電気炊飯器は、調理物が入れられる内釜と、上面が開口されて前記内釜が着脱自在に収容される炊飯器本体と、前記内釜の加熱手段と、該加熱手段を制御する制御部と、前記炊飯器本体の開口部を開閉する蓋体とを備え、前記蓋体を、下部が開口された上蓋、該上蓋の下部開口部内に固定された中蓋、該中蓋の下部に着脱可能に設けられた内蓋、及び上面に蓋ヒータを有し前記中蓋と内蓋との間に上下動可能に配設された内蓋中間部材によって構成し、前記内蓋中間部材を付勢手段により前記内蓋に常時当接するように構成したものである。
【発明の効果】
【００１０】
本発明によれば、炊飯工程などの場合に内蓋が熱変形しても、これに追従して内蓋中間部材の下面の大部分が内蓋に当接してその熱が効率よく内蓋に伝達されるので、簡単かつ低コストの構造で内蓋の下面に付着した水滴を確実に除去することができ、これにより、蓋体を開放したときにご飯の中に水滴が落下してご飯が不味くなったり、電気炊飯器の周囲に落下したりすることもない。
【発明を実施するための最良の形態】
【００１１】
図１は本発明の一実施の形態に係る電気炊飯器の縦断面図、図２は図１の外観斜視図、図３は図２の電気炊飯器の蓋体を開放して内蓋を取外した状態を示す斜視図である。
図において、１は上面が開口された炊飯器本体、１７は上端部外周にフランジ１８を有し炊飯器本体１内に収容された内釜、２０は炊飯器本体１の後部側（図の右側）にヒンジ部１６により連結されて、炊飯器本体１の上面開口部を開閉する蓋体である。
【００１２】
炊飯器本体１は、底板３を有し上面が開口された本体ケース２と、本体ケース２の内側上部に設置された内釜支持ケース４と、内釜支持ケース４の下方に設置され、下面及びコーナ部に加熱手段である誘導加熱コイル６が設けられたほぼ深皿状のコイル台５と、内釜支持ケース４とコイル台５との間に設けられた円筒状の周壁７とにより、内釜収容部が形成されている。８は内釜支持ケース４の上端部に設けられたリング状の支持台、９は支持台８の前面側に設けられて、蓋体２０を閉じたときに係止する係止部である。
【００１３】
コイル台５の底部中心部には温度センサ１０が設けられており、内釜１７を内釜収納部内に収容したときに、その底部に当接し又は近接して位置する。
また、本体ケース２の前面側上部には操作部１１が設けられ、内部の前面側には制御部１２、この制御部１２や誘導加熱コイル６などを冷却するための送風機１３が設けられており、本体ケース２の底板３には、吸気口１４ａ及び排気口１４ｂが設けられている。１５は底板３の下面に設けた複数の支持脚である。
【００１４】
蓋体２０はその詳細を図４に示すように、下面が開口された上蓋２４、上蓋２４に着脱可能に装着されたカートリッジ３０、上蓋２４の下面開口部内に固定された中蓋４０、中蓋４０に着脱可能に取付けられた内蓋５０及び中蓋４０と内蓋５０と間に配設された内蓋中間部材５５等からなっている。
そして、上蓋２４の前面側には、蓋体２０閉じたときに炊飯器本体１の係止部９に係止する係止片２３と、この係止片２３を操作する蓋開閉ボタン２２等からなるロック手段２１が設けられており、また、上面には凹部２５が形成されてその底部の後部側には開口部２６が設けられている。２７は凹部２５の下部に設けられたドーム状の弁室である。
【００１５】
上蓋２４の凹部２５に着脱可能に装着されるカートリッジ３０は、後部側には上蓋２４の開口部２６に挿入される筒状部３１及び通気孔３２が設けられており、前部側の上面には通気孔３２と連通する蒸気排出口３３が設けられている。
【００１６】
上蓋２４の下面開口部に設けられた中蓋４０、内蓋５０及び内蓋中間部材５５の詳細を図５に示す。
中蓋４０はその中心部から若干後部側に片寄って開口部４１が設けられており、外周側の周方向にはほぼ等間隔で複数の係止穴４２が設けられている。そして係止穴４２の内側と外側にはガイド壁４３ａ，４３ｂが設けられており、外側のガイド壁４３ｂは中蓋４０の上面から突出している。４４は中蓋４０の下面の各係止穴４２のガイド壁４３ａの内側に設けられ、付勢手段であるコイル状のばね４５が介装されるばね座である。なお、この付勢手段はコイル状のばね４５に限定するものではなく、例えば板ばね等、他のばねでもよい。
【００１７】
内蓋５０は熱伝導のよい金属材料からなり、中心部には中蓋４０の開口部より小径の開口部５１が設けられている。また、開口部５１の一方の側にはおねば戻り穴５２が設けられており、このおねば戻り穴５２は、内蓋５０の下面に設けたゴムパッキン５３により開閉されるようになっている。
内蓋中間部材５５は、熱伝導のよい金属材料からなり、中蓋４０の開口部４１と同心的に、かつこれより大径の開口部５６が設けられている。そして、開口部５６の外周の上面には、主として保温時にご飯を均一に加熱するための蓋ヒータ５７が設けられており、また外周には、中蓋４０の係止穴４２に対応して係止片５８が設けられている。
【００１８】
再び図４において、６０は内蓋５０の開口部５１に取付けられた有天の円筒で、その天面には弁座６１が形成されており、その中心部には弁孔６２が設けられている。そして、弁座６１には弁孔６２を開閉する調整ボール６３が載置されている。６４は蒸気通路である。
【００１９】
上記のように構成した中蓋４０は、図示しない固定手段により上蓋２４の開口部内に固定され、その下面に、ばね座４４との間にばね４５を介して中蓋中間部材５５を配設し、その各係止片５８を中蓋４０の係止穴４２に挿入し、その上端部を中蓋４０の上面に沿ってそれぞれ内側に折曲げる。これにより、内蓋中間部材５５は中蓋４０に上下動可能に保持される。このとき、内蓋中間部材５５はばね４５に押されて下降し、図６に示すように、係止片５８の折曲げ部５８ａが中蓋４０の上面に係止する。
【００２０】
ついで、調整ボール６３を有する内筒６０を中蓋４０の開口部４１から蒸気室２７に挿入し、内蓋５０を内蓋中間部材５５の下面に沿って着脱可能に中蓋４０に装着する。このとき、弁室２７と通気孔３２との間には蒸気通路６４が形成される。また、内蓋中間部材５５は内蓋５０により押上げられて、図７に示すように、係止片５８の折曲げ部５８ａと中蓋４０の上面との間にすき間ｇが形成され、内蓋中間部材５５はばね４５に付勢されて内蓋５０に当接する。なお、上記のすき間ｇは内蓋中間部材５５の可動範囲である。
【００２１】
次に、本発明に係る電気炊飯器の作用について説明する。
内釜１７に調理物である米と水を入れて内釜収容部内に収容し、そのフランジ１８を内釜支持ケース４に設けた支持台８上に載置してセットし、蓋体２０を閉じる。これにより、蓋体２０に設けた係止片２３が炊飯器本体１の係止部９に係止してロックされ、また、蓋体２０の内蓋５０は内釜１７の上部開口部を閉塞して内蓋中間部材５５に当接し、内蓋中間部材５５の係止片５８の折曲げ部５８ａと中蓋４０の上面との間には、図４に示すように、すき間ｇが形成されている。また、ゴムパッキン５３は自重によりおねば戻り穴５２を開放している。
【００２２】
ついで、操作部１１の炊飯スイッチをＯＮすると、制御部１２に組込まれた制御プログラムにしたがって、炊飯を開始する。このとき、内蓋中間部材５５に設けた蓋ヒータ５７には通常の保温に必要な電力が通電される。
炊飯スイッチをＯＮすると先ず予熱工程が開始され、例えば４０〜６０℃程度に加熱される。所定の時間経過すると、炊飯工程に入る。炊飯工程では火力を上げて水を沸騰状態にし、内釜１７内の水が無くなるまで沸騰を続ける。内釜１７内の水がなくなると、それまで水の蒸発潜熱で消費されていた熱が内釜１７の温度を上昇させることに使われるようになり、内釜１７の温度が急激に上昇する。この温度上昇を温度センサ１０でとらえて炊飯工程を終了し、以後むらし工程に入る。そして、所定の時間経過すると、保温工程に移行する。
【００２３】
上記のような炊飯工程においては、密閉された内釜１７内が高温、高圧となるため、調整ポール６３が押上げられて内筒６０の弁孔６２が開口すると共に、おねば戻し穴５２がゴムパッキン５３により閉塞されるため、内釜１７内に発生した蒸気の大部分は、弁孔６２、蒸気室２７、蒸気通路６４からカートリッジ３０の通気孔３２を経て蒸気排出口３３から排出され、これに含まれたおねばはカートリッジ３０内に溜るが、一部の蒸気は内蓋５０の内面に付着して水滴となる。しかし、内蓋５０には、蓋ヒータ４５で加熱された内釜中間部材５５のほぼ全面がばね４５に圧下されて当接しているため、その熱が内蓋５０に伝達されて加熱されているので、内蓋５０に付着した水滴はこの熱により飛散して蒸発する。
【００２４】
ところで、炊飯工程においては、前述のように、内釜１７内が高温、高圧になるため、主として内蓋５０が熱変形することがある。しかしながら、内蓋中間部材５５はコイルばね４５により常に圧下されているため、内蓋５０の変形に追従して内蓋中間部材５５が上下動し、その下面の大部分が内蓋５０に当接する。これにより、内蓋中間部材５５の熱が効率よく内蓋５０に伝達されるため、下面に付着した水滴を蒸発させる。
炊飯工程が終って内釜１７内の温度及び圧力が低下すると、内蓋５０は元の状態に戻り、ゴムパッキン５３がおねば戻し穴５２を開放し、カートリッジ３０内に溜ったおねばを蒸気通路６４からおねば戻し穴５２を経て内釜１７内に戻す。
【００２５】
上記の説明では、炊飯工程時に主として内蓋５０が熱変形する場合について述べたが、場合によっては内蓋中間部材５５も熱変形することがあり、さらに、ときとして変形した内蓋中間部材５５が元の状態に戻らないことがあるが、このような場合においても、内蓋中間部材５５が上下動し、ばね４５に圧下されてその下面の大部分が内蓋５０に当接することができる。
また、上記の説明では炊飯工程時における作用について述べたが、むらし工程や保温工程時においても、内釜１７内に発生した蒸気が内蓋５０の内面に付着して水滴となることがあるが、このような場合も水滴は内蓋１７の熱により飛散して蒸発するので、水滴が残ることはない。
【００２６】
本発明によれば、蓋ヒータ５７を有し中蓋４０と内蓋５０との間に配設され、付勢手段により常に内蓋５０に当接する内蓋中間部材５５を設け、炊飯工程時などにおいて内蓋５０等が熱変形しても、これに追従して内蓋中間部材５５の下面の大部分が内蓋５０に当接してその熱が内蓋５０に効率よく伝達されるので、簡単、かつ低コストの構造で内蓋５０の下面に付着した水滴を確実に除去することができる。
このため、蓋体２０を開放したときにご飯の中に水滴が落下して不味くなったり、電気炊飯器の周囲に水滴が落下することがない。
【００２７】
また、内蓋中間部材５５に設けた蓋ヒータ５７には、ご飯を保温するための通常の電力が供給されているので、ご飯が黄変したり硬くなったりして不味くなることもない。
【００２８】
上記の説明では、図示の電気炊飯器に本発明を実施した場合を示したが、これに限定するものではなく、他の構造の電気炊飯器にも本発明を実施することができる。
【図面の簡単な説明】
【００２９】
【図１】本発明の一実施の形態に係る電気炊飯器の縦断面図である。
【図２】図１の外観斜視図である。
【図３】図２の電気炊飯器の蓋体を開放し内蓋を取外した状態を示す斜視図である。
【図４】図１の蓋体の拡大図である。
【図５】図４の中蓋、内蓋及び内蓋中間部材の一部を断面で示した斜視図である。
【図６】本発明の要部の作用説明図である。
【図７】本発明の要部の作用説明図である。
【符号の説明】
【００３０】
１  炊飯器本体、２  本体ケース、４  内釜支持ケース、５  コイル台、６  誘導加熱コイル（加熱手段）、１１  操作部、１２  制御部、１６  ヒンジ部、１７  内釜、１８  フランジ、２０  蓋体、２４  上蓋、３０  カートリッジ、３３  蒸気排出口、４０  中蓋、４２  係止穴、４５  ばね（付勢手段）、５０  内蓋、５５  内蓋中間部材、５７  蓋ヒータ、５８  係止片。
【図１】
2009005954.tif 000003
【図２】
2009005954.tif 000004
【図３】
2009005954.tif 000005
【図４】
2009005954.tif 000006
【図５】
2009005954.tif 000007
【図６】
2009005954.tif 000008
【図７】
2009005954.tif 000009